(57)【特許請求の範囲】
【請求項１】
計数可能な薬剤を載置面上に載置する薬剤載置部と、
前記載置面と横幅がほぼ同じ板状部分を少なくとも有し、薬剤を前記載置面から押し出す場合に、前記載置面と前記板状部分の下端部との距離が前記薬剤の高さよりも小さい状態で前記載置面上を移動可能な押し板部と、
前記薬剤載置部に隣接し、前記押し板部の移動によって前記載置面から前記薬剤が押し出される位置に設けられた薬剤貯留部と、
を有し、
前記載置面と前記下端部との距離が変更可能であって、
前記押し板部は、前記薬剤をばらす場合に、前記載置面と前記下端部との距離が前記薬剤の高さよりも大きい状態で前記載置面上を移動可能である、
薬剤計数用装置。
【請求項２】
前記押し板部は、前記載置面と前記下端部との距離が前記薬剤の高さより小さい状態では前記薬剤貯留部に近づく方向に移動し、前記載置面と前記下端部との距離が薬剤の高さよりも大きい状態では前記薬剤貯留部から離れる方向に移動する、
請求項１に記載の薬剤計数用装置。
【請求項３】
前記押し板部に隣接する位置に櫛状の薬剤ばらし部をさらに有し、
前記薬剤ばらし部の先端部と前記載置面との間の距離は前記薬剤の高さよりも小さい、
請求項２に記載の薬剤計数用装置。
【請求項４】
前記押し板部に隣接する位置に刷毛からなる薬剤ばらし部をさらに有し、
前記薬剤ばらし部の先端部と前記載置面との間の距離は前記薬剤の高さよりも小さい、
請求項２に記載の薬剤計数用装置。
【請求項５】
前記載置面に載置された前記薬剤を計数する薬剤計数部をさらに有する、
請求項３または請求項４に記載の薬剤計数用装置。
【請求項６】
下端側に位置する下端側部が前記押し板部の上端側に位置する上端側部に接続される押し板操作部をさらに有し、
前記押し板部は、前記押し板操作部の下端側部と前記押し板部の上端側部との接続部を回転軸として回転自在に設けられる、
請求項３または請求項４に記載の薬剤計数用装置。
【請求項７】
前記押し板部は、前記薬剤ばらし部より前記薬剤貯留部に近い側に設けられ、前記押し板部の上端側に位置する上端側部を回転軸として回転自在に設けられる、
請求項３または請求項４に記載の薬剤計数用装置。
【請求項８】
前記薬剤載置部の縁部に載置され、前記押し板部に固定されたガイド部をさらに有し、
前記ガイド部は、前記押し板部の移動方向における前方あるいは後方の端部が上向きに湾曲している、
請求項２に記載の薬剤計数用装置。
【請求項９】
前記薬剤載置部と隣接して設けられ、前記載置面に載置された前記薬剤のうち、不要な薬剤を留置面上に留置する不要薬剤留置部と、
前記不要薬剤留置部と隣接して設けられ、前記押し板部の移動によって前記留置面から不要な薬剤が押し出される位置に設けられた不要薬剤貯留部と、をさらに有し、
前記押し板部は、前記留置面と横幅がほぼ同じ板状部分をさらに備えた、
請求項２に記載の薬剤計数用装置。
【請求項１０】
前記押し板部に隣接する位置に薬剤ばらし部と、
前記載置面と前記留置面との境界付近の前記薬剤ばらし部に固定され、前記載置面および前記留置面に対してほぼ垂直、かつ前記押し板部の移動方向に対して平行に設けられた板状の仕切り部をさらに有する、
請求項９に記載の薬剤計数用装置。
【発明の詳細な説明】
【技術分野】
【０００１】
本発明は、薬剤の計数における精度の向上と作業の省力化を両立できる薬剤計数用装置に関する。
【背景技術】
【０００２】
薬局等においては、処方箋に記載された薬剤を記載された数や量だけ提供することが行われている。薬剤の提供形態には、例えば１回の服用分毎に薬剤を分包するパウチ形態、バイアルと呼ばれる瓶状のケースに薬剤を入れ、蓋をするバイアル形態、片面が透明な樹脂等により複数の凸部を設け、当該凸部に薬剤を入れ台紙や金属膜等で蓋をするブリスターパック形態等がある。この内、バイアル形態は、錠剤やカプセル剤等、計数可能な薬剤を多数封入して提供するために利用される。
【０００３】
バイアル形態にて薬剤を提供するとき、薬局では、処方箋に記載された薬剤を必要な数だけ計数してバイアル瓶に入れ、患者に提供する。従来、薬局では、薬剤師が、例えばプラスチック等で形成されたトレイに提供すべき錠剤やカプセル剤を必要な数より多めに出し、必要な数だけ目視で計数し、バイアル瓶に封入することが行われている。
【０００４】
しかしながら、目視での計数は正確性に欠けるとともに、薬剤師にかかる負担が大きい。このため、例えば特許文献１には、トレイ上での錠剤の凝集や密集を防止する複数のドームと、トレイ上の錠剤をカウントするデジタルカウンタと、蝶番で接続された漏斗部材と、を有し、トレイ上の錠剤を容器に戻すときにトレイが持ち上げられると、漏斗部材が下向きに回転する薬剤計数トレイが開示されている。
【先行技術文献】
【特許文献】
【０００５】
【特許文献１】米国特許出願公開第２０１４／００９３３４４号明細書
【発明の概要】
【発明が解決しようとする課題】
【０００６】
しかし、特許文献１に開示された技術では、計数が終了した錠剤を容器に入れる際に、トレイ全体を持ち上げ、傾ける必要があり、負担が大きい。特に錠剤の数が多い場合には、トレイを持ち上げ、これを傾けて容器に錠剤を入れようとしても、錠剤が意図せず容器以外に向かって転がり落ちてしまう事態が生じうる。
【０００７】
このようなことから、薬剤を計数する際等に、少ない労力で薬剤を取り扱うことができる薬剤計数用装置の開発が望まれている。
【０００８】
本発明は、薬剤を計数する際等に、少ない労力で薬剤を取り扱うことができる薬剤計数用装置を提供することを目的とする。
【課題を解決するための手段】
【０００９】
本発明の薬剤計数用装置は、計数可能な薬剤を載置面上に載置する薬剤載置部と、前記載置面と横幅がほぼ同じ板状部分を少なくとも有し、薬剤を前記載置面から押し出す場合に、前記載置面と前記板状部分の下端部との距離が前記薬剤の高さよりも小さい状態で前記載置面上を移動可能な押し板部と、前記薬剤載置部に隣接し、前記押し板部の移動によって前記載置面から前記薬剤が押し出される位置に設けられた薬剤貯留部と、を有し、前記載置面と前記下端部との距離が変更可能であって、前記押し板部は、前記薬剤をばらす場合に、前記載置面と前記下端部との距離が前記薬剤の高さよりも大きい状態で前記載置面上を移動可能である。
【発明の効果】
【００１０】
本発明によれば、薬剤を計数する際等に、少ない労力で薬剤を取り扱うことができる。
【図面の簡単な説明】
【００１１】
【図１】薬剤計数用装置の斜視図
【図２】薬剤計数用装置の正面図および背面図
【図３】薬剤計数用装置の平面図および底面図
【図４】薬剤計数用装置の左右側面図
【図５】トレイ部の形状を説明するための図
【図６】境部の形状の一例を説明するための拡大断面図
【図７】薬剤計数用装置の背面斜視図
【図８】薬剤貯留部および不要薬剤貯留部について説明するための図
【図９】モニタ部の表示画面の一例を示す図
【図１０】薬剤注出口について説明するための図
【図１１】薬剤移動部の構成の一例を示す斜視図
【図１２】薬剤移動部の構成の一例を示す正面図および背面図
【図１３】薬剤移動部の構成の一例を示す平面図および底面図
【図１４】薬剤移動部の構成の一例を示す左右側面図
【図１５】図１１から図１４に例示した薬剤移動部において、把持部とともに押し板操作部が使用者の指等によってともに把持されている状態を示す斜視図
【図１６】図１５の平面図および底面図
【図１７】図１５の正面図および背面図
【図１８】図１５の左右側面図
【図１９】薬剤計数用装置の使用態様について説明するための図
【図２０】山状に積み重なった薬剤を平らに均す工程における薬剤移動部の状態を示す図
【図２１】トレイ部上の薬剤を薬剤貯留部および不要薬剤貯留部に落とす工程における薬剤移動部の状態を示す図
【図２２】第２の実施の形態に係る薬剤移動部について説明するための図
【図２３】第２の実施の形態に係る薬剤移動部の状態について説明するための図
【図２４】第３の実施の形態に係る薬剤移動部の斜視図
【図２５】第３の実施の形態に係る薬剤移動部の正面図および背面図
【図２６】第３の実施の形態に係る薬剤移動部の平面図および底面図
【図２７】第３の実施の形態に係る薬剤移動部の左右側面図
【図２８】第３の実施の形態に係る薬剤移動部の状態について説明するための図
【発明を実施するための形態】
【００１２】
＜第１の実施の形態＞
以下、本発明の第１の実施の形態について説明する。図１は、薬剤計数用装置１００の斜視図である。また、図２から図４は、薬剤計数用装置１００の六面図である。具体的には、図２（ａ）は正面図であり、図２（ｂ）は背面図である。図３（ａ）は平面図であり、図３（ｂ）は底面図である。図４（ａ）は右側面図であり、図４（ｂ）は左側面図である。図１に示すように、薬剤計数用装置１００は、トレイ部１１０、土台部１２０、モニタ部１３０、薬剤計数部１４０、薬剤注出口１５０、薬剤移動部１６０、不要薬剤注出口１７０を有する。なお、本実施の形態では、図１に示すように、薬剤注出口１５０がある側を薬剤計数用装置１００の前方と定義する。
【００１３】
トレイ部１１０は、錠剤やカプセル剤等をその上で計数するための皿状の部材である。本発明では、薬剤計数用装置にて計数される錠剤やカプセル剤等の大きさは特に限定しないが、それぞれがある程度の大きさを有し、個数単位で計数を行うことができる大きさを想定している。なお、本実施の形態では、計数を行うことができる錠剤やカプセル剤等を総称して薬剤と称する。
【００１４】
図５は、トレイ部１１０の形状を説明するための図である。図５（ａ）に示す線Ａ−Ａ’における断面図が図５（ｂ）である。図５（ｂ）に示すように、トレイ部１１０は、薬剤載置部１１１と、薬剤載置部１１１と比較して狭い不要薬剤留置部１１２と、境部１１３とを有する。
【００１５】
薬剤載置部１１１は、薬剤を広散して載置し、計数するための載置面を有する。そして、不要薬剤留置部１１２は、薬剤載置部１１１から薬剤師等の使用者が不要な薬剤をへら等を使用して移動させたとき、当該不要な薬剤を留置するための留置面を有する。一度不要薬剤留置部１１２に移動された薬剤が意図せず薬剤載置部１１１に戻ってしまうことがないように、薬剤載置部１１１と不要薬剤留置部１１２との間には他の部位よりも高くなるように構成された境部１１３が設けられる。
【００１６】
図５（ｂ）に示すように、トレイ部１１０の左右の縁の部位において、トレイ部１１０の底面からほぼ垂直に側壁面１１４が形成されている。トレイ部１１０の底面、すなわち薬剤載置部１１１および不要薬剤留置部１１２と、側壁面１１４とによって、トレイ部１１０は皿状に形成されている。また、側壁面１１４の上部終端部から、トレイ部１１０の外側に向かって縁部１１５が形成されている。当該縁部１１５は、土台部１２０に対するトレイ部１１０の安定性を向上させるための部位である。
【００１７】
図６は、境部１１３の形状の一例を説明するための拡大断面図である。図６に示すように、境部１１３の頂点部と薬剤載置部１１１および不要薬剤留置部１１２との間にはそれぞれ斜面１１６および１１７が形成されている。薬剤載置部１１１から不要薬剤留置部１１２へは使用者がへら等を用いて薬剤を移動させることがあるが、不要薬剤留置部１１２から薬剤載置部１１１へ薬剤を移動させることは基本的にはない。このため、薬剤載置部１１１側の斜面１１６よりも不要薬剤留置部１１２側の斜面１１７の方が傾斜が急であるように形成される。言い換えれば、境部１１３における鉛直方向に対する斜面１１６のなす角αと、斜面１１７のなす角βとを比較すると、α＞βとなるように形成される。なお、角βは０であってもよく、角αは使用者がへら等を用いて薬剤を移動させるときに移動させやすい傾斜角であればよい。
【００１８】
なお、薬剤載置部１１１と不要薬剤留置部１１２の高さについては、同一の高さとしてもよいし、異なる高さとしてもよい。特に、薬剤載置部１１１を不要薬剤留置部１１２よりも高くなるように形成することで、不要薬剤留置部１１２に留置された薬剤が意図せずに薬剤載置部１１１へ戻らないようにすることができるとともに、使用者がへら等を用いて容易にかつ確実に薬剤を移動させることができるようになる。
【００１９】
土台部１２０は、上述したトレイ部１１０を載置する部材であるとともに、モニタ部１３０および薬剤計数部１４０を保持する部材でもある。土台部１２０は、上述したトレイ部１１０を取り外しできないように固定していてもよいし、トレイ部１１０を取り外し可能に載置してもよい。取り外し可能に載置した場合には、使用者は例えば上述したトレイ部１１０の縁部１１５等を持つことで容易にトレイ部１１０を土台部１２０から取り外しできる。このようにすることで、トレイ部１１０を土台部１２０から取り外して洗浄することができ、トレイ部１１０を清潔に保つことが容易となる。
【００２０】
土台部１２０におけるトレイ部１１０の直下部には、図示は省略するが、バックライトが配置される。このバックライトは、薬剤計数部１４０から見て薬剤載置部１１１の載置面に載置された薬剤がシルエットとなるように、薬剤載置部１１１全体を照射する。
【００２１】
また、土台部１２０は、薬剤貯留部１２１および不要薬剤貯留部１２２を有する。図７は、薬剤計数用装置１００の背面斜視図である。図７に示すように、薬剤載置部１１１の前縁部１１８と土台部１２０の前端部との間に、薬剤貯留部１２１が設けられる。薬剤貯留部１２１は、トレイ部１１０の薬剤載置部１１１の前縁部１１８に隣接して設けられ、計数が完了した薬剤を貯めておく穴状の部位である。なお、薬剤載置部１１１の前縁部１１８とは、薬剤載置部１１１の最前方の縁の部位である。
【００２２】
また、不要薬剤留置部１１２の前縁部と土台部１２０の前端部との間に、不要薬剤貯留部１２２が設けられる。不要薬剤貯留部１２２は、トレイ部１１０の不要薬剤留置部１１２の留置面に留置された不要な薬剤を貯めておく穴状の部位である。
【００２３】
図８は、薬剤貯留部１２１および不要薬剤貯留部１２２について説明するための図である。図８（ａ）に示す線Ｂ−Ｂ’における断面図が図８（ｂ）である。図７および図８（ｂ）に示すように、薬剤貯留部１２１は、薬剤載置部１１１の前縁部１１８の左右方向両端部から延びる、ほぼ等しい傾斜角を有する２つの斜面１２３を有する。この２つの斜面１２３によって、薬剤載置部１１１の載置面から落とされた薬剤が貯留される。２つの斜面が交わる部位付近には、貯留された薬剤を薬剤計数用装置１００の外部に注出するための薬剤注出口１５０が設けられている。なお、薬剤載置部１１１の載置面に載置された薬剤を薬剤貯留部１２１へ落とす方法についての詳細は後述する。
【００２４】
また、図７および図８に示すように、不要薬剤貯留部１２２は、不要薬剤留置部１１２の前縁部１１８の中央側端部から延びる斜面１２４を有する。上述したように、薬剤載置部１１１と比較して不要薬剤留置部１１２の方が狭いため、図７および図８に示すように、斜面１２３と比較して斜面１２４の傾斜は急である。この斜面１２４と、当該斜面１２４に対向する土台部１２０の壁面とにより、不要薬剤留置部１１２の留置面から落とされた不要な薬剤を貯めておくことができるように形成されている。この不要薬剤貯留部１２２の最低部付近には、貯留された不要な薬剤を薬剤計数用装置１００の外部に注出するための不要薬剤注出口１７０が設けられている。
【００２５】
なお、図７に示すように、薬剤載置部１１１の前縁部１１８は、薬剤計数用装置１００の前方方向に進むに伴って高くなるように形成されていてもよい。これにより、薬剤載置部１１１における薬剤の計数途中に、前縁部１１８を超えて意図せず薬剤が薬剤貯留部１２１側へ落ちてしまう事態を回避することができる。
【００２６】
モニタ部１３０は、液晶ディスプレイや有機ＥＬディスプレイ等の表示デバイスである。また、モニタ部１３０は、タッチパネルを有し、使用者のタッチによる入力操作を受け付けることができる。モニタ部１３０は、必要な薬剤の個数を表示したり、当該個数の入力を行わせる入力キーを表示したり、現在薬剤載置部１１１の載置面に載置されている薬剤の個数を表示したりする。
【００２７】
図９は、モニタ部１３０の表示画面の一例を示す図である。図９に示すように、モニタ部１３０の表示画面２００は、必要個数入力画面２０１、テンキー２０２、現在個数表示画面２０３を有する。必要個数入力画面２０１は、処方箋に記載されている、必要な薬剤の必要な個数を表示する表示領域である。必要個数入力画面２０１に表示される個数は、例えばテンキー２０２を介して使用者により入力された個数である。テンキー２０２は、モニタ部１３０の有するタッチパネルにより数字の入力を受け付ける表示領域である。また、現在個数表示画面２０３は、薬剤計数部１４０により撮影され、画像処理によって計数された、薬剤載置部１１１の載置面に載置された薬剤の個数を表示する表示領域である。計数開始ボタン２０４は、使用者からの計数開始の指示を受け付ける領域である。
【００２８】
なお、図９においてはテンキー２０２を介して使用者の入力を受け付けていたが、本発明はこれに限定されない。すなわち、テンキー２０２の代わりに、例えばタッチするたびに、あるいはタッチし続けることによって入力値がカウントアップするボタンや、同様にカウントダウンするボタンを用意し、これを介して使用者の入力を受け付けるようにしてもよい。
【００２９】
また、図９に示す例では、必要個数入力画面２０１に対する個数は、テンキー２０２を介して入力されていたが、本発明はこれに限定されない。例えば図示しないバーコードリーダによって、処方箋等に予め記載されたバーコードを読み取ることにより、当該バーコードによって指示された個数を必要個数入力画面２０１に入力できるようにしてもよい。
【００３０】
また、モニタ部１３０は、本実施の形態では図１等に示すように土台部１２０に固定されているが、本発明はこれに限定されない。モニタ部１３０は、土台部１２０から取り外しできるように構成されていてもよい。この場合、モニタ部１３０は図示しない通信デバイスによって薬剤計数用装置１００と無線通信できるように構成され、表示画面を受信したり、タッチパネルに入力された内容を送信したりできることが望ましい。
【００３１】
薬剤計数部１４０は、薬剤載置部１１１のほぼ直上に配置され、薬剤載置部１１１全体を含む領域を撮影するカメラと、当該カメラが撮影した画像に対して画像解析を行うことにより、薬剤載置部１１１の載置面に載置された薬剤の個数を計数する画像解析部により構成される。上述したように、薬剤載置部１１１の下部にはバックライトが配置されており、カメラが撮影する画像においては薬剤がシルエットとなるため、画像解析部による薬剤の計数が容易となっている。
【００３２】
薬剤注出口１５０は、上述した薬剤貯留部１２１に貯められた薬剤を、バイアル瓶や薬剤を保存するボトル等の各種容器に注出するための注ぎ口である。図１０は、薬剤注出口１５０について説明するための図である。図１０（ａ）は薬剤注出口１５０が閉じた状態を示す図であり、図１０（ｂ）は薬剤注出口１５０が開いた状態を示す図である。
【００３３】
図１０（ａ）に示すように、薬剤注出口１５０は、薬剤ガイド部１５１と、押し下げ部１５２と、支点部１５３と、枠部１５４とを有する。薬剤貯留部１２１に貯められた薬剤を薬剤注出口１５０から容器に注ぐときは、まず図１０（ａ）に示すように、使用者はバイアル瓶等の容器３００の下側の縁を薬剤ガイド部１５１と押し下げ部１５２との間に入り込ませる。そして、使用者が容器３００に対して下側の力を加えることによって、押し下げ部１５２が支点部１５３を支点として回転するとともに押し下げられる。薬剤ガイド部１５１は、押し下げ部１５２と連動して動くように構成されており、図１０（ｂ）に示すように押し下げ部１５２に伴って薬剤ガイド部１５１も下がる。
【００３４】
これにより、薬剤ガイド部１５１と枠部１５４とによって閉じられていた薬剤注出口１５０が開き、斜め状態となった薬剤ガイド部１５１に導かれて薬剤が容器へと注がれる。ここで、容器３００の下側の縁が薬剤ガイド部１５１と押し下げ部１５２との間に入り込んでいるため、薬剤ガイド部１５１に導かれて出てきた薬剤は、容器３００の外にこぼれることなく容器３００の中へと注がれる。
【００３５】
薬剤が注ぎ終わり、使用者が容器３００を薬剤注出口１５０から離すと、図示しない弾性部により、薬剤ガイド部１５１と押し下げ部１５２とは支点部１５３を支点として図１０（ａ）に示す薬剤注出口１５０が閉じられた状態へと戻る。なお、図示は省略するが、不要薬剤注出口１７０も上記説明した薬剤注出口１５０と同様の構成を有し、薬剤注出口１５０と同様の手順によって、不要薬剤貯留部１２２に貯められた薬剤を注出することができる。
【００３６】
薬剤移動部１６０は、トレイ部１１０上を前後方向に移動する部材である。薬剤移動部１６０は、２種類の役割を果たす。１つは薬剤載置部１１１の載置面に載置された薬剤を、画像認識しやすいようにばらばらに広散する役割である。もう１つは、計数が終了した後に、薬剤載置部１１１の載置面に載置された薬剤および不要薬剤留置部１１２の留置面に留置された不要な薬剤を薬剤貯留部１２１および不要薬剤貯留部１２２に落とす役割である。これらの２つの役割を果たすため、薬剤移動部１６０は、例えば、図１１から図１８に示す構成を有する。
【００３７】
図８は、薬剤移動部１６０の構成の一例を示す図である。図１１は、薬剤移動部１６０の斜視図である。図１２から図１４は、薬剤移動部１６０の六面図である。具体的には、図１２（ａ）は平面図であり、図１２（ｂ）は底面図である。図１３（ａ）は正面図であり、図１３（ｂ）は背面図である。図１４（ａ）は左側面図であり、図１４（ｂ）は右側面図である。図１１から図１４に示すように、薬剤移動部１６０は、把持部１６１、支柱部１６２、ガイド部１６３、仕切り部１６４、櫛歯部１６５、押し板操作部１６６、押し板部１６７、支点部１６８を有する。薬剤移動部１６０はトレイ部１１０の左右の縁の部分を前後移動可能に取り付けられる。薬剤移動部１６０は、トレイ部１１０から取り外しできるように構成されてもよいし、取り外しできないように構成されていてもよい。
【００３８】
把持部１６１は、例えば台形状に形成され、左右方向に設けられた支柱部１６２の上部に配置される。支柱部１６２の左右両端部には、水平方向に所定の広がりを有するガイド部１６３が形成されている。支柱部１６２の下部には、櫛状の櫛歯部１６５が形成される。また、支柱部１６２の端部から所定距離だけ内側に仕切り部１６４が設けられている。ここで、薬剤移動部１６０の構成の内、把持部１６１、支柱部１６２、ガイド部１６３、仕切り部１６４、櫛歯部１６５は、一体に形成されており、後述する押し板操作部１６６および押し板部１６７とは別体である。なお、把持部１６１が本発明の把持部に対応している。把持部１６１の形状は台形に限定されず、他の形状、例えば四角形状や半円形状等としてもよい。また、櫛歯部１６５は本発明の薬剤ばらし部の一例である。
【００３９】
把持部１６１は、使用者が指等でつまんで把持するための部位である。ガイド部１６３は、薬剤移動部１６０の左右両端に設けられており、図１で説明したトレイ部１１０の左右の縁の部分（図５で説明した縁部１１５）に接触して、薬剤移動部１６０をトレイ部１１０上の前後方向に移動させるためのガイドとなる部位である。すなわち、薬剤移動部１６０の左右両端部にガイド部１６３があることで、薬剤移動部１６０全体を薬剤計数用装置１００に対して傾かず、薬剤計数用装置１００の前後方向に対して垂直のまま前後移動させることができる。
【００４０】
仕切り部１６４は、図５（ｂ）で説明した薬剤載置部１１１と不要薬剤留置部１１２との間を仕切るための部材であり、図５（ｂ）に示す境部１１３付近に配置される。すなわち、仕切り部１６４は支柱部１６２の端部から不要薬剤留置部１１２の幅だけ内側に設置される。
【００４１】
櫛歯部１６５は、トレイ部１１０上に薬剤が山状に積み重なっているとき、当該薬剤の山を崩して薬剤をばらばらに広散するための構成である。すなわち、使用者が把持部１６１を把持し、薬剤移動部１６０全体をトレイ部１１０上の前後方向に動かすことによって、櫛状に形成された櫛歯部１６５が山状に積み重なった薬剤に当たり、これをばらすことができる。櫛歯部１６５は、薬剤をばらばらに広散することによって、薬剤計数部１４０によって薬剤が計数される際に、薬剤が互いに重なっているために画像解析による正確な計数が行うことができないという事態を回避することができる。
【００４２】
押し板操作部１６６と押し板部１６７とは、図１１から図１４に示すように、横から見て、「く」の字状になるように一体に形成されている。また、図１２（ａ）に示すように、押し板部１６７は、横幅が薬剤載置部１１１の載置面とほぼ同じである板状部分１６７Ｂと、横幅が不要薬剤留置部１１２の留置面とほぼ同じである板状部分１６７Ｃとを有し、薬剤ばらし部１６５に隣接して設けられる。そして、押し板操作部１６６の下端側に位置する下端側部と押し板部１６７の上端側に位置する上端側部が接する部位、すなわち押し板操作部１６６と押し板部１６７との接続部には、薬剤移動部１６０の他の部位と接続される支点部１６８が設けられる。図１２および図１３に示すように、支点部１６８は、櫛歯部１６５の上端部付近に設けられている。押し板部１６７は、この支点部１６８を中心軸として回転自在に設けられている。支点部１６８付近には、押し板操作部１６６が把持部１６１から遠ざかる方向、言い換えれば、押し板部１６７が薬剤載置部１１１の載置面に接近する方向に付勢する図示しないばね等の弾性材が設けられている。この弾性材により、使用者が触れていない状態では、図１１から図１４に示すように、押し板操作部１６６は把持部１６１から離れた状態となる。
【００４３】
押し板操作部１６６と押し板部１６７とは、横から見て、「く」の字状に形成されているため、図１４に示すように、押し板操作部１６６が把持部１６１から離れた状態では、押し板部１６７は薬剤載置部１１１の載置面に接近し、ほぼ接した状態となる。
【００４４】
また、押し板操作部１６６は、把持部１６１とともに使用者によって把持される。図１５から図１８は、図１１から図１４に例示した薬剤移動部において、把持部１６１とともに押し板操作部１６６が使用者の指等によってともに把持されている状態を示す図である。図１５は斜視図であり、図１６から図１８は六面図である。具体的には、図１６（ａ）は平面図であり、図１６（ｂ）は底面図である。図１７（ａ）は正面図であり、図１７（ｂ）は背面図である。図１８（ａ）は左側面図であり、図１８（ｂ）は右側面図である。図１６および図１８に示すように、押し板操作部１６６が把持部１６１とともに把持され、これらがほぼ接している状態では、押し板操作部１６６と一体に形成された押し板部１６７が薬剤載置部１１１の載置面から離れた状態となっている。
【００４５】
以上説明したように、薬剤移動部１６０は、把持部１６１のみが使用者により把持されている状態と、把持部１６１および押し板操作部１６６が同時に使用者により把持されている状態の２通りの状態を取りうる。すなわち、使用者が押し板操作部１６６を把持部１６１とともに把持すると、押し板部１６７が薬剤載置部１１１から離れた状態となり、反対に、使用者が押し板操作部１６６を把持せず把持部１６１のみを把持すると、押し板部１６７が薬剤載置部１１１にほぼ接した状態となる。
【００４６】
ここまで、薬剤計数用装置１００の各構成について説明した。以下では、薬剤計数用装置１００の使用形態について説明する。図１９は、薬剤計数用装置１００の使用態様について説明するための図である。
【００４７】
図１９は、薬剤計数用装置１００の右側から見た前後方向の断面図である。図１９は、すなわち、図１９（ａ）から（ｄ）における左側が薬剤計数用装置１００の前方、右側が薬剤計数用装置１００の後方である。また、図１９（ａ）においては、トレイ部１１０と土台部１２０のみ示し、モニタ部１３０、薬剤計数部１４０および薬剤注出口１５０については図示を省略している。
【００４８】
薬剤計数用装置１００では、薬剤の計数を開始するとき、まず、図１９（ａ）に示すように、薬剤載置部１１１の載置面の上に計数対象の薬剤を必要な個数より多く載置する工程が行われる。
【００４９】
このとき、図１９（ａ）に示すように、薬剤移動部１６０が、薬剤貯留部１２１および不要薬剤貯留部１２２に最も近い端部付近に配置される。ここで、薬剤移動部１６０の長辺である支柱部１６２（図１１から図１８参照）は、薬剤計数用装置１００の前後方向に対してほぼ垂直になるように配置される。さらに、図１９（ａ）に示すように、薬剤載置部１１１の載置面の上に計数対象の薬剤を必要な個数より多く載置する工程においては、薬剤移動部１６０は、押し板部１６７が薬剤載置部１１１にほぼ接した状態、すなわち図１１から図１４に示す状態である。これにより、薬剤載置部１１１の載置面に薬剤を広散する際に、薬剤が意図せず薬剤貯留部１２２側に転がっても、押し板部１６７により押し戻されるので、薬剤が薬剤貯留部１２２に落ちてしまう事態を防止することができる。ここで、使用者が把持部１６１のみを把持していてもよいし、ガイド部１６３が縁部１１５に接触することにより薬剤移動部１６０が自立していてもよい。
【００５０】
上記の薬剤載置部１１１の載置面の上に計数対象の薬剤を必要な個数より多く載置する工程において、必要な薬剤の個数が多い場合、例えば何百錠も必要である場合は、図１９（ａ）に示すように、薬剤が山状に積み重なる状態が生じうる。このように薬剤が互いに積み重なった状態では、トレイ部１１０の直下部に配置されたバックライトを照射したとしても、薬剤計数部１４０により撮影した画像を用いた計数が正確に行われない。
【００５１】
このため、薬剤計数用装置１００では、次に山状に積み重なった薬剤をばらばらに広散する工程が行われる。当該工程では、薬剤移動部１６０が使用される。図１９（ｂ）は、薬剤をばらばらに広散する工程を示している。
【００５２】
なお、薬剤をばらばらに広散する工程では、図２０（ａ）に示すように、薬剤移動部１６０の把持部１６１と押し板操作部１６６とがともに使用者の指等により把持される。これにより、薬剤移動部１６０は、図１５から図１８に示す状態となる。図２０は、山状に積み重なった薬剤を平らに均す工程における薬剤移動部１６０の状態を示す図である。上述したように、また図２０（ａ）に示すように、把持部１６１と押し板操作部１６６とがともに使用者に把持され、これらがほぼ接した状態では、押し板部１６７の下端部１６７Ａと薬剤載置部１１１の載置面とが離れた状態となる。
【００５３】
山状に積み重なった薬剤をばらばらに広散する工程では、使用者は把持部１６１と押し板操作部１６６とをともに把持したまま、薬剤貯留部１２１から離れる方向へ、すなわちトレイ部１１０の前端部から後端部まで薬剤移動部１６０を移動させる。すると、図２０（ａ）に示すように、櫛歯部１６５から離れた状態の押し板部１６７の下端部１６７Ａが薬剤の山と接触し、これにより山の高い部分が崩されることになる。
【００５４】
そして、図２０（ｂ）に示すように、押し板部１６７により山の高い部分が崩された後、櫛状に形成された櫛歯部１６５によって、未だ塊状の薬剤が１つ１つばらばらの状態になるように広散される。図２０（ｂ）は、使用者が把持部１６１と押し板操作部１６６とをともに把持した状態における薬剤移動部１６０を前方から見た図である。図２０（ｂ）に示すように、櫛歯部１６５の後方側に押し板部１６７が位置しており、押し板部１６７の下端部１６７Ａによって薬剤の山が崩される。
【００５５】
ここで、把持部１６１と押し板操作部１６６とがともに使用者により把持された状態では、櫛歯部１６５の先端部と、薬剤載置部１１１の載置面との距離は、薬剤の高さよりも小さい。そして、押し板部１６７の下端部１６７Ａと薬剤載置部１１１の載置面との距離が少なくとも薬剤の高さより大きい状態となるように、押し板部１６７の長さ等が調整されている。このような薬剤移動部１６０の構成により、把持部１６１と押し板操作部１６６とがともに使用者により把持されたまま、薬剤移動部１６０が薬剤載置部１１１の前端部から後端部まで移動されることで、山状に積み重なった薬剤が１つ１つばらばらに広散される。このため、この後の薬剤計数部１４０の画像解析による薬剤の計数が好適に行われる。
【００５６】
図１９の説明に戻ると、図１９（ｃ）は、把持部１６１と押し板操作部１６６とがともに使用者により把持されたまま、薬剤移動部１６０が薬剤載置部１１１の後端部まで移動した状態を示している。図１９（ｃ）に示す状態において、例えば使用者がモニタ部１３０を介して計数を行う指示を入力すると、薬剤計数部１４０が薬剤載置部１１１の載置面に載っている薬剤の個数を計数する工程が行われる。すなわち、薬剤載置部１１１の直下部に設置された図示しないバックライトが点灯し、カメラによって薬剤載置部の載置面１１１全体を含む画像が撮影される。カメラによって撮影された画像は、画像解析部によって画像解析が行われて薬剤の個数が計数される。計数された薬剤の個数はモニタ部１３０に表示され、使用者はこれを参照しつつ、薬剤載置部１１１の載置面に載置された薬剤の個数が必要な個数となるまで、へら等を用いて不要な薬剤を不要薬剤留置部１１２に落とす作業を行う。なお、ここで薬剤を不要薬剤留置部１１２に落としすぎ、薬剤載置部１１１の載置面に載置された薬剤の個数が必要な個数よりも小さくなってしまった場合は、新たに薬剤を薬剤載置部１１１に足してもよいし、例えば手袋をした指等でつまんで必要な個数の薬剤を不要薬剤留置部１１２から薬剤載置部１１１に戻してもよい。
【００５７】
薬剤載置部１１１の載置面に載っている薬剤の個数が所望の個数になると、トレイ部１１０上の薬剤を薬剤貯留部１２１および不要薬剤貯留部１２２に落とす工程が行われる。この工程では、図２１（ａ）に示すように、把持部１６１のみが使用者によって把持される。図２１は、トレイ部１１０上の薬剤を薬剤貯留部１２１および不要薬剤貯留部１２２に落とす工程における薬剤移動部１６０の状態を示す図である。上述したように、また図２１（ａ）に示すように、把持部１６１のみが使用者によって把持された状態では、押し板部１６７の下端部１６７Ａと薬剤載置部１１１の載置面がほぼ接した状態となる。使用者は、薬剤載置部１１１の載置面に載っている薬剤の個数が所望の個数となった時点で、把持部１６１のみを把持すればよい。
【００５８】
トレイ部１１０上の薬剤を薬剤貯留部１２１および不要薬剤貯留部に落とす工程では、使用者は把持部１６１のみを把持したまま、薬剤移動部１６０を薬剤貯留部１２１および不要薬剤貯留部１２２に近づく方向へ、すなわちトレイ部１１０の後端部から前端部まで移動させる。すると、図２１（ａ）および（ｂ）に示すように、薬剤載置部１１１の載置面とほぼ接した押し板部１６７によって、薬剤載置部１１１の載置面に載置された薬剤および不要薬剤留置部１１２の留置面に留置された不要な薬剤が押され、薬剤載置部１１１の前方、すなわち薬剤貯留部１２１側へと薬剤が移動させられる。薬剤移動部１６０がトレイ部１１０の前端部に到達すると、薬剤載置部１１１の載置面に載置された薬剤は薬剤貯留部１２１に、不要薬剤留置部１１２の留置面に留置された不要な薬剤は不要薬剤貯留部１２２に、それぞれ落とされる。図２１（ｂ）は、使用者が把持部１６１のみを把持した状態における薬剤移動部１６０を前方から見た図である。
【００５９】
なお、使用者により薬剤移動部１６０がトレイ部１１０の後端部から前端部へと移動される間、図１１や図１５等に示す仕切り部１６４によって、薬剤載置部１１１の載置面に載置された薬剤の不要薬剤留置部１１２への移動、および不要薬剤留置部１１２の留置面に留置された不要な薬剤の薬剤載置部１１１側への移動が防止される。
【００６０】
なお、薬剤が押し板部１６７により押されているとき、薬剤と薬剤載置部１１１の載置面との摩擦力等により、押し板部１６７に対して後方ヘ向かう力が働くことがある。これに対応するため、例えばばね等の図示しない弾性材が押し板操作部１６６および押し板部１６７と薬剤移動部１６０の他の部位とを接続する支点部１６８付近に設けられる。当該弾性材によって、押し板部１６７は薬剤載置部１１１の載置面に接近する方向に付勢される。これにより、押し板部１６７が当該後方へ向かう力によって意図せず薬剤載置部１１１の載置面から離れてしまい、薬剤を押すことができなくなる事態を回避することができる。
【００６１】
以上説明したように、本発明の第１の実施の形態に係る薬剤計数用装置１００は、計数可能な薬剤を載置面上に載置する薬剤載置部１１１と、載置面と横幅がほぼ同じ板状部分を少なくとも有し、薬剤を載置面から押し出す場合に、載置面と前記板状部分１６７Ｂの下端部１６７Ａとの距離が薬剤の高さよりも小さい状態で載置面上を移動可能な押し板部１６７と、薬剤載置部１１１に隣接し、押し板部１６７の移動によって載置面から薬剤が押し出される位置に設けられた薬剤貯留部１２１と、を有する。
【００６２】
このような構成により、薬剤載置部１１１の載置面上において計数した薬剤を、薬剤移動部１６０の押し板部１６７により容易に薬剤貯留部１２１まで移動させることができるので、薬剤の計数を正確に、かつ少ない労力で行うことができる。また、薬剤の種類を変更する場合には、薬剤載置部１１１の載置面に載置された薬剤を、薬剤移動部１６０の押し板部１６７によって薬剤貯留部１２１に移動させ、薬剤注出口１５０から薬剤を注出するだけでよい。このため、薬剤の種類を変更する場合の手間と時間を軽減することができる。
【００６３】
また、本発明の第１の実施の形態に係る薬剤計数用装置１００では、押し板部１６７は、薬剤載置部１１１の載置面と下端部１６７Ａとの距離が変更可能であって、押し板部１６７は、薬剤をばらす場合に、載置面と下端部１６７Ａとの距離が薬剤の高さよりも大きい状態で載置面上を移動可能である。また、押し板部１６７は、載置面と下端部１６７Ａとの距離が薬剤の高さより小さい状態では薬剤貯留部１２１に近づく方向に移動し、載置面と下端部１６７Ａとの距離が薬剤の高さよりも大きい状態では薬剤貯留部１２１から離れる方向に移動する。
【００６４】
また、本発明の第１の実施の形態に係る薬剤計数用装置１００では、押し板部１６７に隣接する位置に櫛状の薬剤ばらし部である櫛歯部１６５をさらに有し、当該櫛歯部１６５の先端部と薬剤載置部１１１の載置面との距離は薬剤の高さよりも小さい。また、本発明の第１の実施の形態に係る薬剤計数用装置１００は、載置面に載置された薬剤を計数する薬剤計数部をさらに有する。
【００６５】
このような構成により、使用者が薬剤移動部１６０を薬剤貯留部１２１から離れる方向に移動させる、すなわち、薬剤載置部１１１の前端部から後端部まで移動させたとき、押し板部１６７の下端部１６７Ａが山状に積み重なった薬剤に接触して、当該山が崩されるとともに、櫛歯部１６５によって薬剤がばらばらに広散された状態となる。その後に、薬剤計数部１４０によって薬剤の計数が行われるため、薬剤同士が重なり合った状態等に起因する、正確な計数を行うことができない事態を回避することができる。
【００６６】
また、本発明の第１の実施の形態に係る薬剤計数用装置１００は、薬剤載置部１１１と隣接して設けられ、載置面に載置された薬剤のうち、不要な薬剤を留置面上に留置する不要薬剤留置部と、不要薬剤留置部と隣接して設けられ、押し板部の移動によって留置面から不要な薬剤が押し出される位置に設けられた不要薬剤貯留部と、をさらに有し、押し板部は、留置面と横幅がほぼ同じ板状部分１６７Ｃをさらに備える。
【００６７】
このような構成により、使用者が薬剤載置部１１１の載置面において必要な個数の薬剤を揃える場合に、不要な薬剤は不要薬剤留置部１１２に移動させて留め置けばよいので、不要な薬剤の取り扱いが容易である。さらに、薬剤載置部１１１の載置面に必要な個数の薬剤が載置された後には、押し板部１６７によって、薬剤載置部１１１の載置面に載置された薬剤と、不要薬剤留置部１１２の留置面に留置された不要な薬剤とが、押し板部１６７の板状部分１６７Ｂおよび１６７Ｃによって、必要な薬剤は薬剤貯留部１２１に、不要な薬剤は不要薬剤貯留部１２２に、それぞれ移動させられる。このため、必要な薬剤と不要な薬剤とを一度に移動させることができるので、薬剤の移動の手間と時間を軽減することができる。
【００６８】
また、本発明の第１の実施の形態に係る薬剤計数用装置１００は、押し板部１６７に隣接する位置に薬剤ばらし部である櫛歯部１６５と、載置面と留置面との境界付近の櫛歯部１６５に固定され、載置面および留置面に対してほぼ垂直、かつ押し板部の移動方向に対して平行に設けられた板状の仕切り部１６４をさらに有する。
【００６９】
このような構成により、薬剤載置部１１１に載置された薬剤が意図せず不要薬剤留置部１１２に移動したり、不要薬剤留置部１１２に留置された不要な薬剤が意図せず薬剤載置部１１１に戻ってしまったりする事態を回避することができる。
【００７０】
上述した第１の実施の形態に係る薬剤計数用装置１００は、本発明の薬剤ばらし部の一例として、櫛状に形成された櫛歯部１６５を有していた。しかし、本発明はこれには限定されず、薬剤ばらし部の他の例として、例えば複数の薬剤を好適にばらばらに広散する間隔で植えられたブラシ、刷毛状の構成を採用してもよい。
【００７１】
また、上述した第１の実施の形態に係る薬剤計数用装置１００では、使用者によって把持部１６１とともに押し板操作部１６６が把持されるか、把持部１６１のみが把持されるか、の２通りの状態しか存在しないが、例えば支点部１６８付近に図示しないクリック用の孔を複数設け、上述した２通りよりも多くの状態に対応できるようにしてもよい。すなわち、例えば押し板部１６７の下端部１６７Ａの薬剤載置部１１１からの距離を複数段階に調節できるように、上記クリック用の孔によって、使用者によって把持部１６１とともに押し板操作部１６６が把持された状態と、把持部１６１のみが把持された状態と、その間の状態との３通り以上の状態に対応できるようにしてもよい。これにより、薬剤の大きさに応じて、押し板部１６７の下端部１６７Ａの薬剤載置部１１１からの距離を調節することができるようになる。
【００７２】
＜第２の実施の形態＞
次に、本発明の第２の実施の形態について説明する。第２の実施の形態は、薬剤移動部の形状および動作を除いて第１の実施の形態とほぼ同様である。従って、以下では第２の実施の形態に係る薬剤移動部１８０について説明する。なお、薬剤移動部１８０は、本発明の薬剤移動部材の一例である。
【００７３】
図２２は、第２の実施の形態に係る薬剤移動部１８０について説明するための図である。図２２（ａ）および（ｂ）に示すように、薬剤移動部１８０は、把持部１８１、支柱部１８２、ガイド部１８３、櫛歯部１８５、押し板部１８７、支点部１８８を有する。薬剤移動部１８０のこれらの構成のうち、把持部１８１、支柱部１８２、ガイド部１８３、および櫛歯部１８５は、第１の実施の形態の同名の構成とほぼ同様である。
【００７４】
すなわち、把持部１８１は、使用者が指等でつまんで把持するための部位であり、左右方向に設けられた支柱部１８２の上部に配置される。支柱部１８２の左右両端部には、水平方向に所定の広がりを有するガイド部１８３が形成されている。支柱部１８２の下部には、櫛状の櫛歯部１８５が形成される。把持部１８１、支柱部１８２、ガイド部１８３、櫛歯部１８５は、一体に形成されており、押し板部１８７とは別体に形成されている。
【００７５】
押し板部１８７は、支点部１８８によって薬剤移動部１８０の他の部位と接続されている。支点部１８８は、図２２に示すように、薬剤移動部１６０の薬剤貯留部１２１に近い側、すなわち前側に設けられ、かつ押し板部１８７の上端側に位置する上端側部に設けられている。すなわち、第１の実施の形態とは、支点部が設けられる位置が反対側となっている。押し板部１８７は、支点部１８８を中心軸として回転自在に構成されている。
【００７６】
薬剤移動部１８０は、第１の実施の形態の薬剤移動部１６０と同様に、２種類の役割を果たす。すなわち、１つは薬剤載置部１１１の載置面に載置された薬剤を、画像認識しやすいようにばらばらに広散する役割である。もう１つは、計数が終了した後に、薬剤載置部１１１の載置面に載置された薬剤および不要薬剤留置部１１２の留置面に留置された不要な薬剤を薬剤貯留部１２１および不要薬剤貯留部１２２に落とす役割である。
【００７７】
図２３は、第２の実施の形態に係る薬剤移動部１８０の状態について説明するための図である。図２３（ａ）は、山状に積み重なった薬剤をばらばらに広散する工程における薬剤移動部１８０の状態を示している。まず、把持部１８１を把持した使用者が薬剤移動部１８０を薬剤載置部１１１の前端部から後端部へ向かって移動させると、山状に積み重なった薬剤が櫛歯部１８５に接触する。同時に、櫛歯部１８５の間を抜けた薬剤が、押し板部１８７の櫛歯部１８５側の面に接触する。
【００７８】
上述したように、押し板部１８７は支点部１８８によって自由に回転するように支柱部１８２に接続されているので、図２３（ａ）に示すように、薬剤に接触した押し板部１８７は、薬剤に押され、前側へと回転する。これにより、押し板部１８７の下端部１８７Ａが薬剤載置部１１１から離れた状態となり、この隙間に錠剤が入り込む。これとともに、押し板部１８７の下端部１８７Ａにより、未だ山状に積み重なっていた薬剤は崩されることになる。このように薬剤の山が崩され、押し板部１８７が薬剤と接触しない状態となると、押し板部１８７の下端部と薬剤載置部１１１の載置面との距離は薬剤の高さよりも小さい状態に戻る。
【００７９】
このような状態遷移を繰り返すことにより、薬剤載置部１１１上で山状に積み重なった薬剤は、櫛歯部１８５および押し板部１８７の下端部１８７Ａによって山が崩され、ばらばらに広散された状態となる。このため、この後の薬剤計数部１４０の画像解析による薬剤の計数が好適に行われる。
【００８０】
薬剤載置部１１１の載置面に載置された薬剤の個数が所望の個数となると、次に図２３（ｂ）に示すように、トレイ部１１０上の薬剤を薬剤貯留部１２１および不要薬剤貯留部１２２に落とす工程が行われる。この工程では、使用者は把持部１８１を把持して薬剤移動部１８０をトレイ部１１０の後端部から前端部へと移動させる。このとき、図２３（ｂ）に示すように、押し板部１８７の前側の面が薬剤載置部１１１の載置面に載置された薬剤と接触する。ここで、押し板部１８７には薬剤との接触により、後ろ方向への力が発生するが、押し板部１８７は櫛歯部１８５の存在により、それ以上回転することができないため、押し板部１８７によって薬剤は押され、薬剤載置部１１１の前方、すなわち薬剤貯留部１２１側へと薬剤が移動させられる。これにより、薬剤載置部１１１の載置面に載置された薬剤は薬剤貯留部１２１に、不要薬剤留置部１１２の留置面に留置された薬剤は不要薬剤貯留部１２２に、それぞれ落とされる。
【００８１】
以上説明したように、本発明の第２の実施の形態では、押し板部１８７は薬剤ばらし部の一例である櫛歯部１８５よりも薬剤貯留部１２１に近い側、すなわち前方に設けられ、押し板部１８７の上端側である上端側部に設けられた接続部である支点部１８８を中心軸として回転自在に設けられる。このような構成により、使用者が操作せずとも、薬剤移動部１８０をトレイ部１１０の前端部から後端部に移動させるときには、薬剤をばらばらに広散することができるとともに、薬剤移動部１８０をトレイ部１１０の後端部から前端部に移動させるときには、すべての薬剤を容易に移動させることができる。
【００８２】
なお、上述した第２の実施の形態の説明では、第１の実施の形態の仕切り部１６４に対応する構成を省略しているが、本発明はこれに限定されず、薬剤移動部１８０は仕切り部を有していてもよい。
【００８３】
＜第３の実施の形態＞
次に、本発明の第３の実施の形態について説明する。第３の実施の形態は、薬剤移動部の形状および動作を除いて第１の実施の形態とほぼ同様である。従って、以下では第３の実施の形態に係る薬剤移動部１９０について説明する。なお、薬剤移動部１９０は、本発明の薬剤移動部材の一例である。
【００８４】
図２４から図２７は、第３の実施の形態に係る薬剤移動部１９０について説明するための図である。図２４は、薬剤移動部１９０の斜視図であり、図２５から図２７は薬剤移動部１９０の六面図である。具体的には、図２５（ａ）は正面図であり、図２５（ｂ）は背面図である。図２６（ａ）は平面図であり、図２６（ｂ）は底面図である。図２７（ａ）は右側面図であり、図２７（ｂ）は左側面図である。図２４から図２７に示すように、薬剤移動部１９０は、把持部１９１、支柱部１９２、ガイド部１９３、および押し板部１９７を有する。薬剤移動部１９０は、そのガイド部１９３の形状および役割において、上述した第１の実施の形態に係る薬剤移動部１６０および第２の実施の形態に係る薬剤移動部１８０と異なっている。その他の構成は、第１の実施の形態に係る薬剤移動部１６０および第２の実施の形態に係る薬剤移動部１８０の各構成とほぼ同様である。
【００８５】
図２４に示すように、ガイド部１９３は、支柱部１９２より前方では上向きに湾曲しており、支柱部１９２より後方ではほぼ水平に形成されている。このガイド部１９３は、図５に示すトレイ部１１０の左右の縁の部分である縁部１１５に接する部位である。ガイド部１９３は、図２８に示すように、使用者が把持部１９１を把持した状態で、薬剤移動部１９０全体を斜めに傾けることで、押し板部１９７の下端部１９７Ａの薬剤載置部１１１からの距離を調節することができるように構成されている。
【００８６】
図２８は、第３の実施の形態に係る薬剤移動部１９０の状態について説明するための図である。図２８（ａ）は、山状に積み重なった薬剤をばらばらに広散する工程における薬剤移動部１９０の状態を示している。図２８（ａ）には、使用者が把持部１９１を把持し、ガイド部１９３の湾曲した部位を縁部１１５に押しつけるようにした状態が示されている。
【００８７】
図２８（ａ）に示すように、ガイド部１９３の湾曲した部位が縁部１１５に接しているため、当該湾曲に従って、薬剤移動部１９０全体が前後方向に対して斜めになっている。これにより、押し板部１９７の下端部１９７Ａが薬剤載置部１１１から離れた状態となる。使用者は、薬剤移動部１９０を傾ける角度を調節することで、押し板部１９７の下端部１９７Ａの薬剤載置部からの距離を自由に調節することができる。ここで、ガイド部１９３の湾曲した部位により、薬剤移動部１９０を傾ける角度を調節することが容易となっている。
【００８８】
使用者が例えば、押し板部１９７の下端部１９７Ａの薬剤載置部１１１からの距離を、薬剤の高さよりも大きい状態とすることにより、当該下端部１９７Ａは山状に積み重なった薬剤を崩し、平たく均すことができるようになる。これにより、薬剤はばらばらに広散され、この後の薬剤計数部１４０の画像解析による薬剤の計数が好適に行われる。また、使用者は、薬剤移動部１９０を移動させつつ、薬剤の広がり具合を見ながら、押し板部１９７の下端部１９７Ａの薬剤載置部１１１からの距離をより好適に調節するため、薬剤移動部１９０を任意の角度に調節することができる。
【００８９】
一方、薬剤載置部１１１の載置面に載置された薬剤の個数が所望の個数となると、図２８（ｂ）に示すように、トレイ部１１０上の薬剤を薬剤貯留部１２１および不要薬剤貯留部１２２に落とす工程が行われる。当該工程では、図２８（ｂ）に示すように、使用者はガイド部１９３のほぼ水平な部位を縁部１１５に押しつけるように把持部１９１を把持しながら、薬剤移動部１９０をトレイ部１１０の後端部から前端部へ移動させる。すると、押し板部１９７は薬剤載置部１１１の載置面に接した状態となるため、この状態で薬剤移動部１９０が移動されると、押し板部１９７に接した薬剤が押し板部１９７によって押され、薬剤貯留部１２１および不要薬剤貯留部１２２側へと移動する。これにより、薬剤載置部１１１の載置面に載置された薬剤は薬剤貯留部１２１に、不要薬剤留置部１１２の留置面に留置された薬剤は不要薬剤貯留部１２２に、それぞれ落とされる。
【００９０】
以上説明したように、第３の実施の形態では、薬剤載置部１１１の縁部１１５に載置され、押し板部１９７に固定されたガイド部１９３をさらに有し、当該ガイド部１９３は、押し板部１９７の移動方向における前方あるいは後方の端部が上向きに湾曲している。このような構成により、使用者は、ガイド部１９３の湾曲した部位を縁部１１５と接触させることにより、薬剤移動部１９０を自由に傾けることができるようになる。また、ガイド部１９３は上向きに湾曲した部位を有するため、薬剤移動部１９０を傾ける角度を調節することができる。このため、押し板部１９７の下端部１９７Ａの薬剤載置部１１１からの距離を自由に調節することができる。一方、使用者は、ガイド部１９３の水平方向に平行な部位を縁部１１５と接触させることにより、押し板部１９７の下端部１９７Ａが薬剤載置部１１１の載置面に接した状態のまま、薬剤移動部１９０を移動させることができる。
【００９１】
なお、第３の実施の形態では、ガイド部１９３は、支柱部１９２より前方で上向きに湾曲していたが、本発明はこれに限定されない。ガイド部１９３は、支柱部１９２より後方が上向きに湾曲していてもよい。
【００９２】
上述した第１から第３の実施の形態において、薬剤移動部１６０、１８０、１９０を例示したが、本発明はこれには限定されない。薬剤移動部は、さらに異なる構成を有していてもよい。すなわち、例えば、上述した第１の実施の形態に係る薬剤移動部１６０において、押し板操作部１６６および押し板部１６７の代わりに、垂直方向に高さを変更可能な押し板部を設け、当該押し板部の高さを所望の高さで固定できるような構成としてもよい。
【００９３】
また、上述した第１から第３の実施の形態において説明した薬剤移動部１６０、１８０、１９０では、使用者が把持部１６１、１８１、１９１を把持して薬剤移動部１６０、１８０、１９０を移動させていたが、本発明はこれには限定されない。すなわち、例えば、上述した第１の実施の形態に係る薬剤移動部１６０において、トレイ部１１０の縁部１１５にレールおよびモータ等を設け、例えばモニタ部１３０に対する使用者の入力操作等に応じて、当該レール上を薬剤移動部１６０がモータにより移動されるようにしてもよい。
【００９４】
また、上述した第１から第３の実施の形態において、薬剤計数部１４０は、カメラを用いて撮影した画像を解析することで薬剤載置部１１１の載置面に載置された薬剤を計数していたが、本発明はこれに限定されない。すなわち、例えば薬剤載置部１１１の直下部に、薬剤載置部１１１の重さを計測する重量計測器（電子秤等）を設け、当該重量計測器によって薬剤載置部１１１の載置面に載置された薬剤の重さに基づいて、薬剤の計数を行うようにしてもよい。
【産業上の利用可能性】
【００９５】
本発明は、薬剤を計数する薬剤計数用装置に好適である。
【符号の説明】
【００９６】
１００  薬剤計数用装置
１１０  トレイ部
１１１  薬剤載置部
１１２  不要薬剤留置部
１１３  境部
１１４  側壁面
１１５  縁部
１１６  斜面
１１７  斜面
１１８  前縁部
１２０  土台部
１２１  薬剤貯留部
１２２  不要薬剤貯留部
１２３  斜面
１２４  斜面
１３０  モニタ部
１４０  薬剤計数部
１５０  薬剤注出口
１５１  薬剤ガイド部
１５２  押し下げ部
１５３  支点部
１５４  枠部
１６０，１８０，１９０  薬剤移動部
１６１，１８１，１９１  把持部
１６２，１８２，１９２  支柱部
１６３，１８３，１９３  ガイド部
１６４  仕切り部
１６５，１８５  櫛歯部
１６６  押し板操作部
１６７，１８７，１９７  押し板部
１６７Ａ、１８７Ａ，１９７Ａ  下端部
１６７Ｂ  板状部分
１６７Ｃ  板状部分
１６８，１８８  支点部
１７０  不要薬剤注出口
２００  表示画面
２０１  必要個数入力画面
２０２  テンキー
２０３  現在個数表示画面
２０４  計数開始ボタン
３００  容器
【図１】
0006602103.tif 000002
【図２】
0006602103.tif 000003
【図３】
0006602103.tif 000004
【図４】
0006602103.tif 000005
【図５】
0006602103.tif 000006
【図６】
0006602103.tif 000007
【図７】
0006602103.tif 000008
【図８】
0006602103.tif 000009
【図９】
0006602103.tif 000010
【図１０】
0006602103.tif 000011
【図１１】
0006602103.tif 000012
【図１２】
0006602103.tif 000013
【図１３】
0006602103.tif 000014
【図１４】
0006602103.tif 000015
【図１５】
0006602103.tif 000016
【図１６】
0006602103.tif 000017
【図１７】
0006602103.tif 000018
【図１８】
0006602103.tif 000019
【図１９】
0006602103.tif 000020
【図２０】
0006602103.tif 000021
【図２１】
0006602103.tif 000022
【図２２】
0006602103.tif 000023
【図２３】
0006602103.tif 000024
【図２４】
0006602103.tif 000025
【図２５】
0006602103.tif 000026
【図２６】
0006602103.tif 000027
【図２７】
0006602103.tif 000028
【図２８】
0006602103.tif 000029